(57)【要約】【課題】携帯機器本体に手を加えることなくプラグの誤挿入を防止できるプラグの誤挿入防止構造を提供する。【解決手段】変換コネクタ６４のプラグ本体６６には、ジャック４６に挿入される端子部６８とともに、カメラ本体１２に設けられた三脚穴４４に嵌入されるボス７０が設けられる。変換コネクタ６４は、対応するデジタルカメラ１０に対して対応する向きで挿入したときのみ、ボス７０が三脚穴４４に嵌入して、端子部６８がジャック４６に挿入可能になる。対応しないデジタルカメラに対しては、ボス７０がカメラ本体１２に当たって、挿入不能になる。【選択図】      図７
2006147197.tif 000002
【特許請求の範囲】
【請求項１】
プラグ本体から突出した端子部を携帯機器本体に設けられたジャックに挿入して携帯機器に接続されるプラグの誤挿入防止構造において、
前記携帯機器本体に対して前記ジャックの設置面に三脚穴を設けるとともに、前記端子部と平行に突出する突起部を前記プラグ本体に設け、前記端子部を対応するジャックに対応する向きで挿入したときにのみ、前記突起部が前記三脚穴に嵌入して、前記端子部が前記ジャックに挿入可能になることを特徴とするプラグの誤挿入防止構造。
【請求項２】
プラグ本体から突出した端子部を携帯機器本体に設けられたジャックに挿入して携帯機器に接続されるプラグの誤挿入防止構造において、
前記端子部と平行に突出する突起部を前記プラグ本体に設け、前記端子部を対応するジャックに対応する向きで挿入したときにのみ、前記突起部が前記ジャックの設置面の縁部から突出して、前記端子部を前記ジャックに挿入できることを特徴とするプラグの誤挿入防止構造。
【発明の詳細な説明】
【技術分野】
【０００１】
本発明はプラグの誤挿入防止構造に係り、特にデジタルカメラ等の携帯機器に接続されるプラグの誤挿入防止構造に関する。
【背景技術】
【０００２】
カメラ本体に充電機能を備えたデジタルカメラでは、カメラ本体に電源入力用のジャックを備えており、このジャックにＡＣアダプタのプラグを接続して、カメラ内のバッテリを充電する。
【０００３】
ところで、デジタルカメラにＡＣアダプタを接続する場合、そのデジタルカメラに対応したＡＣアダプタを接続する必要があり、誤ったＡＣアダプタを接続すると、カメラが故障してしまうという問題がある。
【０００４】
このため、特許文献１では、装置筐体のジャック近傍位置に嵌合穴を設けるとともに、その嵌合穴に嵌合する突起をプラグに設けることによって、対応するプラグ以外がジャックに挿入できないようにしている。
【特許文献１】実開平５−１１３５９号公報
【発明の開示】
【発明が解決しようとする課題】
【０００５】
しかしながら、特許文献１の構成では、装置筐体に嵌合穴を設けるスペースが必要になり、装置の小型化を阻害するという欠点がある。また、別途嵌合穴を設ける必要があることから、加工に手間が係るととともに、形成された嵌合穴によって装置の外観を損ねるおそれもある。さらに、嵌合穴から装置内に異物が進入するおそれもある。
【０００６】
本発明は、このような事情に鑑みてなされたもので、携帯機器本体に手を加えることなくプラグの誤挿入を防止できるプラグの誤挿入防止構造を提供することを目的とする。
【課題を解決するための手段】
【０００７】
請求項１に係る発明は、前記目的を達成するために、プラグ本体から突出した端子部を携帯機器本体に設けられたジャックに挿入して携帯機器に接続されるプラグの誤挿入防止構造において、前記携帯機器本体に対して前記ジャックの設置面に三脚穴を設けるとともに、前記端子部と平行に突出する突起部を前記プラグ本体に設け、前記端子部を対応するジャックに対応する向きで挿入したときにのみ、前記突起部が前記三脚穴に嵌入して、前記端子部が前記ジャックに挿入可能になることを特徴とするプラグの誤挿入防止構造を提供する。
【０００８】
本発明によれば、プラグ本体に突起部が設けられ、端子部を対応するジャックに対応する向きで挿入した場合のみ、その突起部が携帯機器本体に設けられた三脚穴に嵌入して、ジャックに挿入可能になる。これにより、対応するジャック以外にプラグを挿入できなくなり、誤挿入を防止できる。また、既存の三脚穴を利用するので、他に携帯機器本体側に手を加える必要もない。
【０００９】
請求項２に係る発明は、前記目的を達成するために、プラグ本体から突出した端子部を携帯機器本体に設けられたジャックに挿入して携帯機器に接続されるプラグの誤挿入防止構造において、前記端子部と平行に突出する突起部を前記プラグ本体に設け、前記端子部を対応するジャックに対応する向きで挿入したときにのみ、前記突起部が前記ジャックの設置面の縁部から突出して、前記端子部を前記ジャックに挿入できることを特徴とするプラグの誤挿入防止構造を提供する。
【００１０】
本発明によれば、プラグ本体に突起部が設けられ、端子部を対応するジャックに対応する向きで挿入した場合のみ、その突起部が携帯機器本体のジャックの設置面の縁部から突出して、ジャックに挿入可能になる。これにより、対応するジャック以外にプラグを挿入できなくなり、誤挿入を防止できる。また、他に携帯機器本体側に手を加える必要もないので、携帯機器側の外観を損ねることもない。
【発明の効果】
【００１１】
本発明に係るプラグの誤挿入防止構造によれば、携帯機器本体に手を加えることなくプラグの誤挿入を防止できる。
【発明を実施するための最良の形態】
【００１２】
以下、添付図面に従って本発明に係るプラグの誤挿入防止構造を実施するための最良の形態について説明する。
【００１３】
図１、図２は、それぞれ本発明が適用されたデジタルカメラの第１の実施形態を示す正面斜視図と背面斜視図である。
【００１４】
同図に示すように、デジタルカメラ１０のカメラ本体１２は、平たい矩形の箱状に形成されており、その正面には、沈胴式の撮影レンズ１４、ストロボ１６、ファインダ窓１８等が設けられている。また、カメラ本体１２の上面には、シャッターボタン２０、電源スイッチ２２等が設けられており、背面には、液晶モニタ２４、ファインダ接眼部２６、モードスイッチ２８、マクロボタン３０、ズームボタン３２、ストロボボタン３４、ファンクションボタン３６、ＭＥＮＵ／ＯＫボタン３８、ＤＩＳＰ／ＢＡＣＫボタン４０等が設けられている。
【００１５】
図３は、図１及び図２に示したデジタルカメラの底面図である。同図に示すように、カメラ本体１２の底面には、バッテリカバー４２、三脚穴４４、ジャック４６が設けられている。バッテリカバー４２は、開閉自在に設けられており、このバッテリカバー４２の内側にバッテリを装填するためのバッテリ装填室と、メモリカードを装填するためのメモリカードスロットとが設けられている。三脚穴４４は、カメラ本体１２を三脚に装着するためのネジ穴であり、ジャック４６の近傍に配置されている。ジャック４６は、ＵＳＢ端子とＡ／Ｖ出力端子と電源入力端子の３つの端子の機能を備えた複合タイプのジャックであり、図４に示すように、カメラ本体１２をクレードル５０にセットすると、そのクレードル５０に設けられた接続端子５２に接続される。
【００１６】
クレードル５０には、図示しないＵＳＢ端子、Ａ／Ｖ出力端子、電源入力端子が設けられており、各端子は接続端子５２の対応する端子に電気的に接続されている。そして、このクレードル５０に設けられたＵＳＢ端子には、ＵＳＢケーブル５４を介してパソコン等が、Ａ／Ｖ出力端子には、Ａ／Ｖケーブル５６を介してテレビ等が、電源入力端子には、電源ケーブル５８を介してＡＣアダプタが接続される。クレードル５０にセットされたデジタルカメラ１０は、ジャック４６に接続端子５２が接続されることにより、クレードル５０の電源入力端子に接続されたＡＣアダプタから電源供給を受け、バッテリ装填室に装填されたバッテリが充電される。また、クレードル５０のＵＳＢ端子に接続されたパソコン等とデータの送受信を行い、クレードル５０のＡ／Ｖ出力端子に接続されたテレビ等に音声／映像信号を出力する。
【００１７】
さて、上記のように本実施の形態のデジタルカメラ１０は、カメラ本体１０をクレードル５０にセットして、カメラ本体内のバッテリを充電するようにしているが、この方式のみでバッテリを充電することとすると、充電時に常にクレードル５０が必要になってしまうという不具合が生じる。
【００１８】
そこで、本実施の形態のデジタルカメラ１０では、図５に示すように、変換ケーブル６０を用いることにより、ＡＣアダプタ８０を直接カメラに接続できるようにしている。
【００１９】
この変換ケーブル６０は、図６に示すように、一端にＡＣアダプタ８０のＡＣコネクタ８２を接続するための電源入力端子６２が設けられており、他端にデジタルカメラ１０のジャック４６に接続するための変換コネクタ６４が設けられている。
【００２０】
変換コネクタ６４は、ブロック状に形成されたコネクタ本体６６を有しており、そのコネクタ本体６６の先端面にデジタルカメラ１０のジャック４６に挿入される端子部６８が先端面から垂直に突出して設けられている。また、このコネクタ本体６６の先端面には、端子部６８と平行にボス７０が突出して設けられている。このボス７０は、先端が丸みを帯びた円柱状に形成されており、デジタルカメラ１０の底面に設けられた三脚穴４４に嵌合可能な径をもって形成されている。そして、このボス７０は、端子部６８を正規の向きでデジタルカメラ１０のジャック４６に挿入した際、その近傍に配設された三脚穴４４に嵌入する位置に設けられている。
【００２１】
以上のように構成された本実施の形態のデジタルカメラ１０によれば、変換ケーブル６０を用いてカメラ本体１２に装填されたバッテリを充電する場合、図７に示すように、対応するデジタルカメラ１０に対して対応する向きで挿入した場合にのみ変換コネクタ６４の接続が可能になる。すなわち、対応するデジタルカメラに対しては、図７（ａ）及び（ｂ）に示すように、端子部６８の向きをジャック４６に合わせて挿入すれば、ボス７０が三脚穴４４に嵌入されるので、端子部６８をそのままジャック４６に挿入できるが、対応しないデジタルカメラに対してや、向きを誤って挿入しようとした場合には、ボス７０がカメラ本体の底面に接触してしまうので、端子部６８をジャック４６に挿入することができなくなる。
【００２２】
このように、本実施の形態のデジタルカメラ１０によれば、対応するデジタルカメラに対して対応する方向で挿入したときのみ、変換コネクタ６４をジャック４６に挿入することができるので、コネクタの誤挿入を効果的に防止することができる。これにより、対応しないデジタルカメラに不用意にＡＣアダプタが接続されて、デジタルカメラが破壊するのを未然に防止することができる。また、既存の三脚穴４４を利用しているので、カメラ側に対して特別な加工を施す必要がなく、また、カメラの外観を損なうこともない。
【００２３】
なお、上記のように、対応するデジタルカメラに対してのみ変換コネクタを接続可能にすることから、同じ形状のジャックを利用するデジタルカメラの間では、図８に示すように、ジャック４６と三脚穴４４との配置が同じにならないように調整するものとする。これにより、対応しないコネクタを誤って接続してしまう不具合を効果的に防止することができる。
【００２４】
図９は、本発明が適用されたデジタルカメラの第２の実施の形態を示す正面斜視図である。同図に示すように、カメラ本体に三脚穴が設けられていない以外は、上述した第１の実施の形態のデジタルカメラ１０の構成と同じである。このため、上述した第１の実施の形態のデジタルカメラ１０と同じ部材には同じ符号が付している。
【００２５】
このように、本実施の形態のデジタルカメラ１０’は、カメラ本体１２に三脚穴が設けられていないことから、三脚穴を利用したコネクタの誤挿入防止を行うことができない。
【００２６】
そこで、本実施の形態のデジタルカメラ１０’では、変換ケーブル９０を次のように構成することによって、コネクタの誤挿入を防止している。
【００２７】
図１０は、第２の実施の形態のデジタルカメラ１０’に用いる変換ケーブル９０の斜視図である。同図に示すように、変換ケーブル９０は、一端にＡＣアダプタのＡＣコネクタを接続するための電源入力端子９２が設けられており、他端にデジタルカメラ１０’のジャック４６に接続するための変換コネクタ９４が設けられている。
【００２８】
変換コネクタ９４は、ブロック状に形成されたコネクタ本体９６を有しており、そのコネクタ本体９６の先端面にデジタルカメラ１０’のジャック４６に挿入される端子部９８が先端面から垂直に突出して設けられている。また、このコネクタ本体９６の先端面には、端子部６８と平行に突起部１００が突出して設けられている。この突起部１００は、角柱状に形成されており、端子部９８を正規の向きでデジタルカメラ１０’のジャック４６に挿入した際、デジタルカメラ１０’の底面の縁部（４辺ある縁部のうちジャック４６から最も近い縁部）から突出する位置に設けられている。より詳しくは、図１１に示すように、端子部９８と突起部１００と間の距離が、ジャック４６から最も近い縁部までの距離ｄとほぼ等しくなる位置に突起部１００が設けられている。
【００２９】
以上のように構成された第２の実施の形態のデジタルカメラ１０’によれば、変換ケーブル９０を用いてカメラ本体１２に装填されたバッテリを充電する場合、図１１に示すように、対応するデジタルカメラ１０のジャック４６に対応する向きで挿入した場合のみ変換コネクタ９４の接続が可能になる。すなわち、対応するデジタルカメラに対しては、図１１（ａ）及び（ｂ）に示すように、端子部９８の向きをジャック４６に合わせて挿入すれば、突起部１００がカメラ本体１２の縁部から突出するので、端子部９８をそのままジャック４６に挿入できるが、対応しないデジタルカメラに対してや、向きを誤って挿入した場合には、図１１（ｃ）に示すように、突起部１００がカメラ本体の底面に接触してしまうので、端子部９８をジャック４６に挿入することができなくなる。
【００３０】
このように、本実施の形態のデジタルカメラ１０’においても、上記第１の実施の形態のデジタルカメラ１０と同様に、対応するデジタルカメラに対して対応する方向で挿入したときのみ、変換コネクタ９４をジャック４６に挿入することができるので、コネクタの誤挿入を効果的に防止することができる。これにより、対応しないデジタルカメラに不用意にＡＣアダプタが接続されて、デジタルカメラが破壊するのを未然に防止することができる。また、カメラ側に対して何ら特別な加工を施す必要もないので、カメラの外観を損なうこともない。
【００３１】
また、本実施の形態では、三脚穴が必須要件でないことから、三脚穴のないデジタルカメラや三脚穴の設置面にジャックがないデジタルカメラにも適用することができる。
【００３２】
なお、第１の実施の形態のデジタルカメラと同様に対応するデジタルカメラに対してのみ変換コネクタを接続可能にすることから、同じ形状のジャックを利用するデジタルカメラの間では、図１２（ａ）に示すように、ジャック４６と縁部までの距離が同じにならないように調整するものとする。これにより、対応しないコネクタを誤って接続してしまう不具合を効果的に防止することができる。
【００３３】
また、変換コネクタ９４に設ける突起部１００の数は必ずしも一つである必要はなく、図１２（ｂ）及び（ｃ）に示すように、複数設けてもよい。なお、この場合も突起部１００は、ジャック４２から最も近い縁部から突出するように突起部１００を設ける。
【００３４】
また、上述した一連の実施の形態では、本発明をデジタルカメラに適用した場合を例に説明したが、本発明の適用は、これに限定されるものではなく、携帯電話機やビデオカメラ等の携帯して利用される電子機器全般に適用することができる。
【００３５】
また、コネクタの用途も本実施の形態のものに限定されるものではなく、他の用途のコネクタにも適用することができる。
【図面の簡単な説明】
【００３６】
【図１】デジタルカメラの正面斜視図
【図２】デジタルカメラの背面斜視図
【図３】デジタルカメラの底面図
【図４】クレードルの正面図
【図５】デジタルカメラとＡＣアダプタとの接続状態を示す斜視図
【図６】変換ケーブルの斜視図
【図７】変換コネクタの作用の説明図
【図８】デジタルカメラと変換コネクタの他の実施の形態の説明図
【図９】デジタルカメラと変換コネクタとの接続状態を示す斜視図
【図１０】変換ケーブルの斜視図
【図１１】変換コネクタの作用の説明図
【図１２】デジタルカメラと変換コネクタの他の実施の形態の説明図
【符号の説明】
【００３７】
１０…デジタルカメラ、１２…カメラ本体、１４…撮影レンズ、１６…ストロボ、１８…ファインダ窓、２０…シャッターボタン、２２…電源スイッチ、２４…液晶モニタ、２６…ファインダ接眼部、２８…モードスイッチ、３０…マクロボタン、３２…ズームボタン、３４…ストロボボタン、３６…ファンクションボタン、３８…ＭＥＮＵ／ＯＫボタン、４０…ＤＩＳＰ／ＢＡＣＫボタン、４２…バッテリカバー、４４…三脚穴、４６…ジャック、５０…クレードル、５２…接続端子、５４…ＵＳＢケーブル、５６…Ａ／Ｖケーブル、５８…電源ケーブル、６０…変換ケーブル、６２…電源入力端子、６４…変換コネクタ、６６…コネクタ本体、６８…端子部、７０…ボス、８０…ＡＣアダプタ、８２…ＡＣコネクタ、９０…変換ケーブル、９２…電源入力端子、９４…変換コネクタ、９６…コネクタ本体、９８…端子部、１００…突起部
【図１】
2006147197.tif 000003
【図２】
2006147197.tif 000004
【図３】
2006147197.tif 000005
【図４】
2006147197.tif 000006
【図５】
2006147197.tif 000007
【図６】
2006147197.tif 000008
【図７】
2006147197.tif 000009
【図８】
2006147197.tif 000010
【図９】
2006147197.tif 000011
【図１０】
2006147197.tif 000012
【図１１】
2006147197.tif 000013
【図１２】
2006147197.tif 000014